(57)【要約】【課題】室内機ユニットにファンモータを固定した状態でも、コストを抑え、軸受電圧を可及的に抑制して電食の発生を低減すること。【解決手段】ファンモータ２３は、回転体３２のシャフト３１を支承する軸受内輪、該軸受内輪の外周に形成される軸受外輪、及び軸受内輪と軸受外輪の間にボールを有して配置され、シャフト３１を回転可能に支持する軸受と、軸受を覆う軸受ブラケット３３とを有し、ファンモータ２３を当該室内機の筐体に固定するための当該室内機に設けられる第１固定ブラケット４０と、ファンモータ２３を第１固定ブラケット４０に固定するための第２固定ブラケット４１と、軸受ブラケット３３と第１固定ブラケット４０との間、及び軸受ブラケット３３と第２固定ブラケット４１との間のそれぞれに配置されるシート状の絶縁物４２ａ，４２ｂとを備える。【選択図】図４
2017078540.tif 000002
【特許請求の範囲】
【請求項１】
ファンを駆動するモータを有する室内機であって、
前記モータは、回転体の回転軸を支承する軸受内輪、該軸受内輪の外周に形成される軸受外輪、及び前記軸受内輪と前記軸受外輪の間に転動体を有して配置され、前記回転軸を回転可能に支持する軸受と、前記軸受を覆う軸受ブラケットとを有し、
前記モータを当該室内機の筐体に固定するための当該室内機に設けられる第１固定ブラケットと、
前記モータを前記第１固定ブラケットに固定するための第２固定ブラケットと、
前記軸受ブラケットと前記第１固定ブラケットとの間、及び前記軸受ブラケットと前記第２固定ブラケットとの間のそれぞれに配置されるシート状の絶縁物と
を備える室内機。
【請求項２】
前記軸受ブラケットと前記第１固定ブラケットとの間、及び前記軸受ブラケットと前記第２固定ブラケットとの間に設けられた誘電率が４以下のゴム素材を備える請求項１に記載の室内機。
【請求項３】
ファンを駆動するモータを有する室内機であって、
前記モータは、回転体の回転軸を支承する軸受内輪、該軸受内輪の外周に形成される軸受外輪、及び前記軸受内輪と前記軸受外輪の間に転動体を有して配置され、前記回転軸を回転可能に支持する軸受と、前記軸受を覆う軸受ブラケットとを有し、
前記モータを当該室内機の筐体に固定するための当該室内機に設けられる第１固定ブラケットと、
前記モータを前記第１固定ブラケットに固定するための第２固定ブラケットと、
前記軸受ブラケットと前記第１固定ブラケットとの間、及び前記軸受ブラケットと前記第２固定ブラケットとの間に設けられた誘電率が４以下のゴム素材と
を備える室内機。
【請求項４】
請求項１から請求項３のいずれかに記載の室内機と、
前記室内機と接続される室外機と
を具備する空気調和機。
【請求項５】
回転体の回転軸を支承する軸受内輪、該軸受内輪の外周に形成される軸受外輪、及び前記軸受内輪と前記軸受外輪の間に転動体を有して配置され、前記回転軸を回転可能に支持する軸受と、前記軸受を覆う軸受ブラケットとを有し、ファンを駆動するモータを有する室内機の組立方法であって、
前記室内機に設けられる第１固定ブラケットにより、前記モータを当該室内機の筐体に固定する工程と、
前記軸受ブラケットと前記第１固定ブラケットとの間、及び前記軸受ブラケットと前記第２固定ブラケットとの間のそれぞれにシート状の絶縁物を配置する工程と、
前記第２固定ブラケットにより、前記モータを前記第１固定ブラケットに固定する工程と
を有する室内機の組立方法。
【請求項６】
回転体の回転軸を支承する軸受内輪、該軸受内輪の外周に形成される軸受外輪、及び前記軸受内輪と前記軸受外輪の間に転動体を有して配置され、前記回転軸を回転可能に支持する軸受と、前記軸受を覆う軸受ブラケットとを有し、ファンを駆動するモータを有する室内機の組立方法であって、
前記室内機に設けられる第１固定ブラケットにより、前記モータを当該室内機の筐体に固定する工程と、
前記軸受ブラケットと前記第１固定ブラケットとの間、及び前記軸受ブラケットと前記第２固定ブラケットとの間に誘電率が４以下のゴム素材を配置する工程と、
前記第２固定ブラケットにより、前記モータを前記第１固定ブラケットに固定する工程と
を有する室内機の組立方法。
【発明の詳細な説明】
【技術分野】
【０００１】
本発明は、室内機、それを備えた空気調和機、及び室内機の組立方法に関するものである。
【背景技術】
【０００２】
例えば、空気調和機用のファンモータは、高効率化を狙って、ＤＣブラシレスモータをＰＷＭ（Ｐｕｌｓｅ  Ｗｉｄｔｈ  Ｍｏｄｕｌａｔｉｏｎ）方式でインバータ駆動するのが主流となっており、スイッチング状態に応じて巻線の中性点電位が変動することにより、回転軸の軸受の外輪と内輪との間に電位差（以下、「軸電圧」という）を発生させている。軸電圧はスイッチング制御による高周波成分を含んでおり、軸電圧が軸受内部の油膜の絶縁破壊電圧に達すると軸受内部に微小電流が流れ、軸受内部に電食が発生する。電食が進行すると、軸受内輪、軸受外輪または軸受内輪と軸受外輪の間に設けられる軸受ボールに波状摩耗現象が発生して異常音に至ることがあり、ファンモータにおける不具合要因の１つとなっていた。
【０００３】
こうした電食を防ぐための方法として、軸受内輪と軸受外輪を導通状態にしたり、軸受内輪と軸受外輪を絶縁状態にしたり、軸電圧を低減したりする方法が知られている。
下記特許文献１では、電動機が有する導電性を有する構成部材と、出力軸側の軸受の外輪、反出力軸側の軸受の外輪又は外輪導通部との間をインピーダンス素子にて電気的に接続し、軸電圧を制御する技術が開示されている。
下記特許文献２では、一対の電動機支持枠体が、一対の防振ゴム及び一対のブラケットを介して一対の転がり軸受を電気的に短絡し、軸受内での放電を制御する技術が開示されている。
【先行技術文献】
【特許文献】
【０００４】
【特許文献１】特開２０１５−５６９７０号公報
【特許文献２】特許第５５３８２５９号公報
【発明の概要】
【発明が解決しようとする課題】
【０００５】
しかしながら、上述した軸受内輪と軸受外輪を導通状態にする方法として、回転軸へのブラシ設置等があるが、ブラシの摩耗粉やそのスペース・寿命が問題となる。また、ステータと軸受ブラケットを短絡し、アースに接続して、軸電圧を抑制することが考えられるが、これは金属の筐体を使用している大容量モータで主流の方法であり、家庭等で用いられる小容量モータでは、アース非接地の樹脂モールド筐体が主流であるため、改修にはコストがかかるという課題がある。また、内外輪を絶縁状態にする方法として、内外輪内部にセラミックボール仕様の軸受を使用することもできるが、コストが大幅にアップするという課題がある。
【０００６】
また、軸電圧を低減するために両側の軸受を短絡したり、絶縁ロータを用いたりすることも考えられる。しかしながら、こうした方法や上記特許文献１、上記特許文献２の方法は、固定子と回転子とのインピーダンスのバランスを取って静電容量を調整する方法であるため、ファンモータを室内機ユニット本体に搭載する際に、ユニット本体やファンモータ固定ブラケット、アースとの間に静電容量が発生し、ファンモータ単体の状態で調整されていた静電容量のバランスが崩れて軸電圧が変動し、軸電圧が高くなり軸受内で電食が発生してしまうという課題があった。
【０００７】
本発明は、上記問題を解決するためになされたもので、室内機ユニットにファンモータを固定した状態でも、コストを抑え、軸受電圧を可及的に抑制して電食の発生を低減できる室内機、それを備えた空気調和機、及び室内機の組立方法を提供することを目的とする。
【課題を解決するための手段】
【０００８】
上記課題を解決するために、本発明は以下の手段を採用する。
本発明は、ファンを駆動するモータを有する室内機であって、前記モータは、回転体の回転軸を支承する軸受内輪、該軸受内輪の外周に形成される軸受外輪、及び前記軸受内輪と前記軸受外輪の間に転動体を有して配置され、前記回転軸を回転可能に支持する軸受と、前記軸受を覆う軸受ブラケットとを有し、前記モータを当該室内機の筐体に固定するための当該室内機に設けられる第１固定ブラケットと、前記モータを前記第１固定ブラケットに固定するための第２固定ブラケットと、前記軸受ブラケットと前記第１固定ブラケットとの間、及び前記軸受ブラケットと前記第２固定ブラケットとの間のそれぞれに配置されるシート状の絶縁物とを備える室内機を提供する。
【０００９】
このような構成によれば、回転体の回転軸を支承する軸受内輪と、軸受内輪の外周の軸受外輪と、軸受内輪と軸受外輪との間に転動体を有して配置される軸受が軸受ブラケットで覆われているモータが、室内機に設けられる第１固定ブラケットと、第１固定ブラケットに固定するための第２固定ブラケットによりシート状の絶縁物を介して固定される。絶縁物を介しているため、固定ブラケットが接続されても、軸受ブラケット部分の浮遊容量（Ｃ成分）の増加が抑制され、軸受ブラケット−負直流ライン（Ｎ）間のインピーダンスが低下しなくなる。これにより、回転体の回転軸が回転しても、軸受外側の電位の低下が抑制され、軸受内輪と軸受外輪（すなわち、静電容量の両端）との間の軸電圧の上昇を抑制できるので、モータの電食の発生を低減できる。なお、シート状の絶縁物とは、例えば、誘電率が比較的小さい部材である絶縁性のある樹脂、ゴム、或いは紙素材等とする。
【００１０】
上記室内機は、前記軸受ブラケットと前記第１固定ブラケットとの間、及び前記軸受ブラケットと前記第２固定ブラケットとの間に設けられた誘電率が４以下のゴム素材を備えていてもよい。
【００１１】
これにより、モータの防振特性を劣化させることなく、軸受ブラケットと基準電位との間の静電容量を低減することができ、軸電圧をより抑制することができる。
【００１２】
本発明は、ファンを駆動するモータを有する室内機であって、前記モータは、回転体の回転軸を支承する軸受内輪、該軸受内輪の外周に形成される軸受外輪、及び前記軸受内輪と前記軸受外輪の間に転動体を有して配置され、前記回転軸を回転可能に支持する軸受と、前記軸受を覆う軸受ブラケットとを有し、前記モータを当該室内機の筐体に固定するための当該室内機に設けられる第１固定ブラケットと、前記モータを前記第１固定ブラケットに固定するための第２固定ブラケットと、前記軸受ブラケットと前記第１固定ブラケットとの間、及び前記軸受ブラケットと前記第２固定ブラケットとの間に設けられた誘電率が４以下のゴム素材とを備える室内機を提供する。
【００１３】
このような構成によれば、回転体の回転軸を支承する軸受内輪と、軸受内輪の外周の軸受外輪と、軸受内輪と軸受外輪との間に転動体を有して配置される軸受が軸受ブラケットで覆われているモータが、室内機に設けられる第１固定ブラケットと、第１固定ブラケットに固定するための第２固定ブラケットにより固定され、軸受ブラケットと第１固定ブラケットとの間、及び軸受ブラケットと第２固定ブラケットとの間に誘電率が４以下のゴム素材が配置されて防振される。固定ブラケットが接続されても、誘電率が小さいゴムを介しているため、軸受ブラケット部分の浮遊容量（Ｃ成分）の増加が抑制され、軸受ブラケット−負直流ライン（Ｎ）間のインピーダンスが低下しなくなる。
これにより、回転体の回転軸が回転しても、軸受外側の電位の低下が抑制され、軸受内輪と軸受外輪（すなわち、静電容量の両端）との間の軸電圧の上昇を抑制できるので、モータの電食の発生を低減できる。
【００１４】
本発明は、上記いずれかに記載の室内機と、前記室内機と接続される室外機とを具備する空気調和機を提供する。
【００１５】
本発明は、回転体の回転軸を支承する軸受内輪、該軸受内輪の外周に形成される軸受外輪、及び前記軸受内輪と前記軸受外輪の間に転動体を有して配置され、前記回転軸を回転可能に支持する軸受と、前記軸受を覆う軸受ブラケットとを有し、ファンを駆動するモータを有する室内機の組立方法であって、前記室内機に設けられる第１固定ブラケットにより、前記モータを当該室内機の筐体に固定する工程と、前記軸受ブラケットと前記第１固定ブラケットとの間、及び前記軸受ブラケットと前記第２固定ブラケットとの間のそれぞれにシート状の絶縁物を配置する工程と、前記第２固定ブラケットにより、前記モータを前記第１固定ブラケットに固定する工程とを有する室内機の組立方法を提供する。
【００１６】
本発明は、回転体の回転軸を支承する軸受内輪、該軸受内輪の外周に形成される軸受外輪、及び前記軸受内輪と前記軸受外輪の間に転動体を有して配置され、前記回転軸を回転可能に支持する軸受と、前記軸受を覆う軸受ブラケットとを有し、ファンを駆動するモータを有する室内機の組立方法であって、前記室内機に設けられる第１固定ブラケットにより、前記モータを当該室内機の筐体に固定する工程と、前記軸受ブラケットと前記第１固定ブラケットとの間、及び前記軸受ブラケットと前記第２固定ブラケットとの間に誘電率が４以下のゴム素材を配置する工程と、前記第２固定ブラケットにより、前記モータを前記第１固定ブラケットに固定する工程とを有する室内機の組立方法を提供する。
【発明の効果】
【００１７】
本発明は、室内機ユニットにファンモータを固定した状態でも、コストを抑え、軸受電圧を可及的に抑制して電食の発生を低減できるという効果を奏する。
【図面の簡単な説明】
【００１８】
【図１】本発明の第１の実施形態に係る空気調和機の概略構成図である。
【図２】（ａ）室内機の真下から見た正面図であり、（ｂ）（ａ）の吸い込み側の化粧板を取り外した正面図である。
【図３】（ａ）室内機の斜視図であり、（ｂ）（ａ）の化粧板を取り外した斜視図である。
【図４】図３（ｂ）に示されるＡ領域の分解斜視図である。
【図５】本発明に係る空気調和機のファンモータの縦断面図を示している。
【図６】図５のモータの内部で生じる静電容量を模擬的に示した図である。
【図７】（ａ）本発明にかかるファンモータを室内機に組み込んだ場合の室内機ユニット・ファンモータ等価回路を示しており、（ｂ）ファンモータ周辺の概略図を示している。
【図８】本発明の第２の実施形態に係る空気調和機のファンモータ周辺領域の分解斜視図である。
【発明を実施するための形態】
【００１９】
以下に、本発明に係る室内機、それを備えた空気調和機、及び室内機の組立方法の実施形態について、図面を参照して説明する。
【００２０】
〔第１の実施形態〕
本発明にかかる第１の実施形態について、図１から図７を参照して説明する。
図１には、本発明の実施形態に係る空気調和機１００の概略構成図が示されている。空気調和機１００は、室外機１０と室内機２０とを備えており、室外機１０と室内機２０とは冷媒配管１１を介して接続されている。なお、図１に示される室内機２０は１つであるが、これは一例であり、室外機１０に接続される室内機２０の台数は２台以上であってもよい。
【００２１】
図２（ａ）は、室内機２０が天井に取り付けられており、真下から室内機２０を見上げたときの室内機２０を示している。図２（ｂ）は、図２（ａ）の空気の吸込口側に取り付けられた化粧板２１を取り外した状態を示している。
図２（ｂ）に示されるように室内機２０は、化粧板２１の吸込口２２に相当する位置にファン２４と、ファン２４を駆動するファンモータ（モータ）２３とが備えられている。
図３（ａ）は吸込口２２が上面になるように（つまり、天井に付けられる面が床面になるように）置いた室内機２０の斜視図を示している。図３（ｂ）は、図３（ａ）の化粧板２１を取り外した状態を示している。
【００２２】
図４は、図３（ｂ）に示されるファンモータ周辺のＡ領域を拡大し、分解して示した斜視図である。
図４に示されるように、Ａ領域には、ファンモータ２３と、第１固定ブラケット４０と、第２固定ブラケット４１とが設けられている。
第１固定ブラケット４０は、室内機２０側に設けられ、ファンモータ２３を室内機２０の筐体に固定するための基礎（ベース）部材である。
第２固定ブラケット４１は、第１固定ブラケット４０に配置したファンモータ２３を固定するための抑え部材である。
軸受ブラケット３３には、第１固定ブラケット４０及び第２固定ブラケット４１と接する面にゴムインシュレーション５０が配され、ファンモータ２３の防振材とされている。ゴムインシュレーション５０は、例えば、ＣＲ（クロロプレンゴム）とする。
【００２３】
ファンモータ２３を室内機２０の筐体に固定する場合には、軸受ブラケット３３と第１固定ブラケット４０との間、及び軸受ブラケット３３と第２固定ブラケット４１との間のそれぞれにシート状の絶縁物４２ａ，４２ｂを配置する。具体的には、第１固定ブラケット４０における軸受ブラケット３３と接する面（図４で矢印表示している位置）、及び第２固定ブラケット４１における軸受ブラケット３３と接する面（図４で矢印表示している位置）には、それぞれシート状の絶縁物４２ａ，４２ｂを挿入する。シート状の絶縁物４２ａ，４２ｂとは、例えば、誘電率が比較的小さい部材である絶縁性のある樹脂、ゴム、或いは紙素材等とする。
【００２４】
図５から図７においては、片軸のファンモータ２３を例示する。ファンモータ２３は片軸であっても両軸であっても事情は同じとする。
図５は、片軸のファンモータ２３の縦断面図を示している。本実施形態のファンモータ２３は、ＤＣブラシレスモータを例に挙げて説明する。
ファンモータ２３は、巻線３８が巻かれたステータ３７と、ステータ３７の外周面に対向する内周面に沿って磁石３６を取付けたロータ３５とを備えている。ファンモータ２３は、パワートランジスタ等のスイッチング素子のＰＷＭ制御によるスイッチング状態に応じて発生する回転磁界によってロータ３５を回転させる。
【００２５】
また、ファンモータ２３は、回転体３２のシャフト（回転軸）３１を支承する軸受内輪３４ａ、軸受内輪３４ａの外周に形成される軸受外輪３４ｂ、及び軸受内輪３４ａと軸受外輪３４ｂの間にボール（転動体）３９を有して配置され、シャフト３１を回転可能に支持する軸受３４と、軸受３４を覆う軸受ブラケット３３とを有している。本実施形態においては、転動体をボール（玉）として例示するが、これに限定されない。
【００２６】
図６は、モータ内部の静電容量を模擬的に図示している。
図６のＣｓは巻線−ステータ間浮遊静電容量を示し、Ｃｍは巻線−磁石間浮遊静電容量を示し、Ｃｇはステータ−ロータ間浮遊静電容量を示し、Ｃｍｇは磁石浮遊静電容量を示し、Ｃｄは絶縁ロータ浮遊静電容量を示し、Ｃｓｎはシャフト−Ｎ間浮遊静電容量を示し、Ｃｂ１，Ｃｂ２はベアリング浮遊静電容量を示し、Ｃｓｂは巻線−ブラケット間浮遊静電容量を示し、Ｃｎはブラケット−Ｎ間浮遊静電容量を示している。また、符号６０は、インバータ回路基板である。
【００２７】
図７（ａ）は、ファンモータ２３を室内機２０に固定し、組み込んだ場合の等価回路を示している。図７（ａ）で示される各符号は、図６で共通のものは説明を省略する。Ｖｃｏｍはコモンモード電圧（ファンモータ内）を示し、Ｃｂｅはブラケット−アース間静電容量を示し、Ｃｓｅはシャフト−アース間静電容量を示し、ＣｎｅはＮ−アース間静電容量（Ｙコンデンサ）を示し、ＣｐｅはＰ−アース間静電容量（Ｙコンデンサ）を示し、ＣｐｎはＰ−Ｎ間静電容量（平滑コンデンサ）を示している。Ｐは、正直流ラインを示し、Ｎは、負直流ラインを示している。
図７（ｂ）は、ファンモータ周辺の概略図であり、図７（ａ）に相当する箇所を説明するための図である。符号Ｃｎｅ、Ｃｐｅ、Ｃｐｎはそれぞれ室内機２０に設けられる室内コントローラ（図示略）の室内基板で生じる静電容量である。
【００２８】
図７（ａ）に示されるように、室内機２０ユニットにファンモータ２３を搭載した場合には、静電容量Ｃｎｅ，Ｃｂｅが、軸受ブラケット−Ｎ間の静電容量Ｃｎに並列で繋がるため、軸受ブラケット−Ｎ間のインピーダンスが低下し、軸受の分圧分＝軸電圧Ｖｓｈが増加すると推定される。
そこで、本実施形態においては、軸受ブラケット３３が室内機２０に固定される場合に、軸受ブラケット３３と、ファンモータ２３を固定する部分（すなわち、第１固定ブラケット４０及び第２固定ブラケット４１）との間に絶縁物４２ａ，４２ｂを設け、軸受ブラケット−筐体アース間の静電容量Ｃｂｅを低減させる。具体的には、絶縁物４２ａ，４２ｂを上記箇所に配置した場合には、図７（ａ）上では、静電容量Ｃｂｅとアース間のＸの位置に絶縁物４２ａ．４２ｂを配置することに相当する。
【００２９】
以下に本実施形態に係る室内機２０の組立方法を説明する。
室内機２０の筐体の所定位置に第１固定ブラケット４０を配置して固定され、ファンモータ２３の配置位置が決められる。軸受ブラケット３３と第１固定ブラケット４０との間にシート状の絶縁物（例えば、紙素材）４２ａを配置し、絶縁物４２ａを配置した第１固定ブラケット４０の上にファンモータ２３を配置して、ファンモータ２３を当該室内機２０の筐体の所定位置に固定する。そして、軸受ブラケット３３と第２固定ブラケット４１との間にシート状の絶縁物（例えば、紙素材）４２ｂを配置し、第２固定ブラケット４１により、ファンモータ２３の軸受ブラケット３３を抑え、ファンモータ２３を第１固定ブラケット４０に固定する。
【００３０】
本実施形態のシート状の絶縁物４２ａ，４２ｂを用いない場合には、ロータ３５を回転させると、ファンモータ２３の内部やファンモータ２３を固定する部分（例えば、第１固定ブラケット、第２固定ブラケット等）に多くの浮遊容量（Ｃ成分）が存在する。ＰＷＭによる高周波（例えば、約２０［ｋＨｚ］）のスイッチングによってファンモータ２３の巻線中性点の電圧が変動し、コモンモード電圧Ｖｃｏｍが発生し、図５の矢印で示したような軸電流の経路ができる。
【００３１】
また、本実施形態のシート状の絶縁物４２ａ，４２ｂを用いない場合には、コモンモード電圧の分圧として、軸受内輪３４ａと軸受外輪３４ｂとの間の電圧である軸電圧Ｖｓｈが増大する。軸電圧Ｖｓｈが、軸受内部（軸受３４とボール３９との間）の潤滑油膜を絶縁破壊させる絶縁破壊電圧に達すると、軸受内部に放電電流が流れ、軸受３４に電食痕が発生する。放電現象が長期間にわたって生じると、電食痕が成長し、異音等のクレームに繋がる。
そこで、本実施形態においては、軸受ブラケット３３と、ファンモータ２３を固定する部分（すなわち、第１固定ブラケット４０及び第２固定ブラケット４１）との間にそれぞれ絶縁物４２ａ，４２ｂを設ける。このように、軸受ブラケット３３が室内機２０ユニットの筐体に固定される際に、軸受ブラケット３３−筐体アース間の静電容量Ｃｂｅを低減させることで、軸電圧Ｖｓｈの増大を防ぎ、電食の発生を抑える。
【００３２】
以上説明してきたように、本実施形態に係る室内機２０、それを備えた空気調和機１００、及び室内機２０の組立方法によれば、回転体のシャフト３１を支承する軸受内輪３４ａと軸受外輪３４ｂとボール３９を有して配置される軸受３４が軸受ブラケット３３で覆われているファンモータ２３が、室内機２０に設けられる第１固定ブラケット４０と第２固定ブラケット４１によりシート状の絶縁物４２ａ，４２ｂを介して固定される。
【００３３】
このようにシート状の絶縁物４２ａ，４２ｂを配置するので、室内機２０にファンモータ２３を組み付けた際に軸電圧Ｖｓｈが増大することがなく、回転体３２のシャフト３１が回転しても、軸受ブラケット３３−直流Ｎライン間の静電容量が増加（インピーダンスが低下）しないので、軸受内輪３４ａと軸受外輪３４の両端の軸電圧Ｖｓｈの増大を抑制できる。これにより、モータ単体状態の特性に近づき、室内機２０ユニットにファンモータ２３を固定（搭載）することにより増大していた軸電圧Ｖｓｈを抑制でき、電食の発生を低減できる。
また、シート状の絶縁物４２ａ，４２ｂを挿入させるという簡便な工程によって軸電圧Ｖｓｈの抑制が実現できる。
【００３４】
〔第２の実施形態〕
次に、本発明の第２の実施形態について図８を用いて説明する。第１の実施形態においてはシート状の絶縁物を配置していたが、これに代えて、本実施形態においては、軸受ブラケットに設けられるゴムインシュレーションを、誘電率が４以下のものを用いる。以下、本実施形態について、第１の実施形態と共通する点については説明を省略し、異なる点について主に説明する。
【００３５】
軸受ブラケットに設けられるゴムインシュレーションは第１の実施形態においては、ＣＲ（クロロプレンゴム：誘電率７．５）が用いられていたが、本実施形態においては、この材質を変更する。
図８に示されるように、本実施形態においては軸受ブラケット３３と第１固定ブラケット４０との間、及び軸受ブラケット３３と第２固定ブラケット４１との間には、誘電率が４以下のゴムインシュレーション（ゴム素材）５０’を備える。
具体的には、軸受ブラケット３３における第１固定ブラケット４０と接する面、及び軸受ブラケット３３における第２固定ブラケット４１と接する面に、誘電率が４以下のゴムインシュレーション５０’を配置する。
【００３６】
なお、誘電率は、具体的には３．５以下のものを用いる。誘電率３．５以下のゴムインシュレーションは、例えば、ＥＰＤＭ（エチレン・プロピレン・ジエンゴム：誘電率３．１〜３．４）とする。
また、室内機ユニット・ファンモータの等価回路は第１の実施形態で説明した図７（ａ）と同じであり、ゴムインシュレーションを誘電率４以下のものを用いた場合とは、図７（ａ）の室内機ユニット・ファンモータ等価回路において、静電容量Ｃｂｅの大きさを変更することに相当する。
【００３７】
このように、ゴムインシュレーションの素材に誘電率４以下のものを採用することにより、ファンモータの防振特性等を劣化させることなく、軸電流を抑制し、モータ電食の発生を低減できる。また、第１の実施形態のようにシート状の絶縁物を配置する場合と比較して、簡便に量産に対応できる。
【００３８】
なお、本発明は上述した実施形態に限定されることはなく、その要旨を逸脱しない範囲内において適宜変更することができる。例えば、第１の実施形態と第２の実施形態とを組み合わせてファンモータを室内機に固定する構成としてもよく、この場合には、より軸電圧を抑制できるので、モータの電食の発生がより確実に低減できる。
【符号の説明】
【００３９】
１０  室外機
２０  室内機
２３  モータ
３１  回転軸
３２  回転体
３３  軸受ブラケット
３４ａ  軸受内輪
３４ｂ  軸受外輪
３４  軸受
３９  ボール（転動体）
４０  第１固定ブラケット
４１  第２固定ブラケット
４２ａ，４２ｂ  シート状の絶縁物
５０，５０’  ゴムインシュレーション（ゴム素材）
１００  空気調和機
【図１】
2017078540.tif 000003
【図２】
2017078540.tif 000004
【図３】
2017078540.tif 000005
【図４】
2017078540.tif 000006
【図５】
2017078540.tif 000007
【図６】
2017078540.tif 000008
【図７】
2017078540.tif 000009
【図８】
2017078540.tif 000010